【手続補正書】
【提出日】平成24年8月22日(2012.8.22)
【手続補正１】
【補正対象書類名】特許請求の範囲
【補正対象項目名】全文
【補正方法】変更
【補正の内容】
【特許請求の範囲】
【請求項１】
所定の始動領域を遊技媒体が通過した後に、可変表示の開始を許容する開始条件の成立にもとづいて、各々を識別可能な複数種類の識別情報の可変表示を行い表示結果を導出表示する可変表示装置を備え、該可変表示装置に特定表示結果が導出表示されたときに遊技者にとって有利な特定遊技状態に移行させる遊技機であって、
遊技の進行を制御する遊技制御手段と、
前記遊技制御手段からの情報にもとづいて前記可変表示装置を含む演出装置を制御する演出制御手段と、を備え、
前記遊技制御手段は、
前記始動領域を遊技媒体が通過したときに、数値データを抽出する数値データ抽出手段と、
前記始動領域を遊技媒体が通過したにもかかわらず前記開始条件が成立していない可変表示について、所定の上限数を限度に、前記数値データ抽出手段が抽出した前記数値データを保留記憶として記憶する保留記憶手段と、
前記数値データ抽出手段によって抽出された前記数値データにもとづく可変表示の前記開始条件が成立する以前に、当該数値データ抽出手段によって抽出された前記数値データを用いて、可変表示が所定の状態となるか否かを判定する状態判定手段と、
前記保留記憶が増加したことを認識可能に保留記憶情報を送信する保留記憶情報送信手段と、
前記状態判定手段の判定結果を示す状態判定結果情報を送信する状態判定結果情報送信手段と、
前記数値データ抽出手段によって抽出された前記数値データにもとづく可変表示の前記開始条件が成立したときに、当該数値データ抽出手段によって抽出された前記数値データを用いて、可変表示を前記所定の状態とするか否かを決定する開始時状態決定手段と、を含み、
前記演出制御手段は、
前記状態判定結果情報にもとづいて、前記所定の状態となる可能性があることを予告する予告演出を、前記数値データ抽出手段によって抽出された前記数値データにもとづく可変表示の前記開始条件が成立する以前に実行するか否かを決定する予告演出決定手段と、
前記予告演出決定手段によって前記予告演出を実行すると決定されたときに、該予告演出を実行する予告演出実行手段と、
前記状態判定結果情報の一部を正常に受信することができなかった場合に、当該状態判定結果情報の一部以外の情報にもとづいて決定される前記予告演出の実行を制限する予告演出制限手段と、を含む
ことを特徴とする遊技機。
【手続補正２】
【補正対象書類名】明細書
【補正対象項目名】００１０
【補正方法】変更
【補正の内容】
【００１０】
そこで、本発明は、始動入賞にもとづく変動表示を実行する前に予告演出が実行可能な遊技機において、予告演出の信頼性が低下することを防止することができる遊技機を提供することを目的とする。
【手続補正３】
【補正対象書類名】明細書
【補正対象項目名】００１１
【補正方法】変更
【補正の内容】
【００１１】
（手段１）本発明による遊技機は、所定の始動領域（例えば、第１始動入賞口１３、第２始動入賞口１４）を遊技媒体が通過した後に、可変表示の開始を許容する開始条件の成立（例えば、前回の可変表示の終了や大当り遊技の終了）にもとづいて、各々を識別可能な複数種類の識別情報（例えば、第１特別図柄、第２特別図柄、演出図柄）の可変表示を行い表示結果を導出表示する可変表示装置（例えば、第１特別図柄表示器８ａ、第１特別図柄表示器８ｂ、演出表示装置９）を備え、該可変表示装置に特定表示結果（例えば大当り図柄）が導出表示されたときに遊技者にとって有利な特定遊技状態（例えば大当り遊技状態）に移行させる遊技機であって、遊技の進行を制御する遊技制御手段（例えば、遊技制御用マイクロコンピュータ５６０）と、遊技制御手段からの情報（例えば演出制御コマンド）にもとづいて可変表示装置を含む演出装置（例えば、スピーカ２７、ランプ・ＬＥＤ等）を制御する演出制御手段（例えば、演出制御用マイクロコンピュータ１００）と、を備え、遊技制御手段は、始動領域を遊技媒体が通過したときに、数値データ（例えば、大当り判定用乱数、大当り種別判定用乱数、変動パターン種別判定用乱数等）を抽出する数値データ抽出手段（例えば、遊技制御用マイクロコンピュータ５６０におけるステップＳ２１５，Ｓ２２５のうち乱数を抽出する処理を実行する部分）と、始動領域を遊技媒体が通過したにもかかわらず開始条件が成立していない可変表示について、所定の上限数（例えば、８個）を限度に、数値データ抽出手段が抽出した数値データを保留記憶として記憶する保留記憶手段（例えば、ＲＡＭ５５における保留記憶バッファ）と、数値データ抽出手段によって抽出された数値データにもとづく可変表示の開始条件が成立する以前に、当該数値データ抽出手段によって抽出された数値データを用いて、可変表示が所定の状態（例えば、大当りか否か、小当りか否か、大当り種別、スーパーリーチを伴う変動）となるか否かを判定する状態判定手段（例えば、遊技制御用マイクロコンピュータ５６０におけるステップＳ２１６Ａ，Ｓ２１６Ｂ，Ｓ２１６Ｄ，Ｓ２１６Ｅ，Ｓ２１６Ｈ，Ｓ２１６Ｉ、およびステップＳ２２６Ａ，Ｓ２２６Ｂ，Ｓ２２６Ｄ，Ｓ２２６Ｅ，Ｓ２２６Ｈ，Ｓ２２６Ｉを実行する部分）と、保留記憶が増加したことを認識可能に保留記憶情報（例えば、第１始動入賞指定コマンド、第２始動入賞指定コマンド、合算保留記憶数指定コマンド）を送信する保留記憶情報送信手段（例えば、遊技制御用マイクロコンピュータ５６０におけるステップＳ２１７，Ｓ２１９，Ｓ２２７，Ｓ２２９を実行する部分）と、状態判定手段の判定結果を示す状態判定結果情報（例えば、入賞時演出図柄指定コマンド、入賞時演出指定コマンド）を送信する状態判定結果情報送信手段（例えば、遊技制御用マイクロコンピュータ５６０におけるステップＳ２１６Ｃ，Ｓ２１６Ｆ，Ｓ２１６Ｇ，Ｓ２１６Ｊ，Ｓ２１６Ｋ、およびステップＳ２２６Ｃ，Ｓ２２６Ｆ，Ｓ２２６Ｇ，Ｓ２２６Ｊ，Ｓ２２６Ｋを実行する部分）と、数値データ抽出手段によって抽出された数値データにもとづく可変表示の開始条件が成立したときに、当該数値データ抽出手段によって抽出された数値データを用いて、可変表示を所定の状態とするか否かを決定する開始時状態決定手段（例えば、遊技制御用マイクロコンピュータ５６０におけるステップＳ６１，Ｓ６２，Ｓ７３，Ｓ１０２を実行する部分）と、を含み、演出制御手段は、状態判定結果情報にもとづいて、所定の状態となる可能性があることを予告する予告演出（例えば、図４０、図４１参照）を、数値データ抽出手段によって抽出された数値データにもとづく可変表示の開始条件が成立する以前に実行するか否かを決定する予告演出決定手段（例えば、演出制御用マイクロコンピュータ１００におけるステップＳ１００６，Ｓ１００９を実行する部分）と、予告演出決定手段によって予告演出を実行すると決定されたときに、該予告演出を実行する予告演出実行手段（例えば、演出制御用マイクロコンピュータ１００におけるステップＳ８４５Ａ〜Ｓ８４５Ｃを実行する部分）と、状態判定結果情報の一部（例えば、入賞時演出図柄指定コマンドまたは入賞時演出指定コマンドのいずれか）を正常に受信することができなかった場合に、当該状態判定結果情報の一部以外の情報にもとづいて決定される予告演出の実行を制限する予告演出制限手段（例えば、演出制御用マイクロコンピュータ１００におけるステップＳ１００２のＮのときにステップＳ１００７を実行し、予告演出設定処理の先頭の処理（ステップＳ１０００）にて予告演出制限フラグがセットされているか否かを判定する処理を実行する部分、または、ステップＳ１０１２のＮのときにステップＳ１００７を実行し、演出図柄変動中処理において予告演出制限フラグがセットされている場合は予告演出を実行しない部分）と、を含むことを特徴とする。そのような構成によれば、状態判定結果情報の一部を正常に受信することができなかった場合は予告演出の実行を制限するので、予告演出の信頼性が低下することを防止することができる。
【手続補正４】
【補正対象書類名】明細書
【補正対象項目名】００１２
【補正方法】変更
【補正の内容】
【００１２】
（手段２）手段１において、予告演出制限手段は、正規の順序で状態判定結果情報を受信することができなかった場合も（例えば、入賞時演出図柄指定コマンドの後に入賞時演出指定コマンドを受信することができなかった場合）、予告演出の実行を制限する（例えば、ステップＳ１００２において正規の順序でコマンドを受信できなかった場合もコマンドの未受信であると判定する）ように構成されていてもよい。そのような構成によれば、データ化け（コマンド化け）等によって偶然に正規の内容の状態判定結果情報を受信した場合であっても、正規の順序で状態判定結果情報を受信できなかった場合は予告演出の実行を制限するので、可変表示を行う前に実行可能な予告演出の信頼性が低下することを防止することができる。